(57)【特許請求の範囲】
【請求項１】
パス通信装置と、このパス通信装置間に設置される下位レイヤパス通信装置とで構成され、
前記パス通信装置は、
パス通信装置間の通信路を複数提供する機能と、
前記通信路を複数まとめた仮想大容量パスを制御する機能と
を有し、
前記下位レイヤパス通信装置は、下位レイヤパスにより前記下位レイヤパス通信装置間の通信路を提供する機能を有する
ネットワークにおける仮想大容量パス制御方法において、
前記仮想大容量パスを設定または削除する際に、
前記パス通信装置は、前記下位レイヤパス通信装置に、前記仮想大容量パスに含まれる複数の通信路の情報を含めた仮想大容量パスの設定要求または削除要求を行い、
前記下位レイヤパス通信装置は、前記仮想大容量パスの設定要求または削除要求に含まれる前記複数の通信路の情報を基に、仮想大容量パスに対応する下位レイヤパスの設定または削除を行う
ことを特徴とする仮想大容量パス制御方法。
【請求項２】
パス通信装置と、このパス通信装置間に設置される下位レイヤパス通信装置とで構成され、
前記パス通信装置は、
パス通信装置間の通信路を複数提供する機能と、
前記通信路を複数まとめた仮想大容量パスを制御する機能と
を有し、
前記下位レイヤパス通信装置は、下位レイヤパスにより前記下位レイヤパス通信装置間の通信路を提供する機能を有する
ネットワークにおける仮想大容量パス制御方法において、
前記仮想大容量パスを変更する際に、
前記パス通信装置は、前記下位レイヤパス通信装置に、前記仮想大容量パスに含まれる複数の通信路の情報を含めた仮想大容量パスの変更要求を行い、
前記下位レイヤパス通信装置は、前記仮想大容量パスの変更要求に含まれる前記複数の通信路の情報を基に、仮想大容量パスに対応する下位レイヤパスの設定または削除を行う
ことを特徴とする仮想大容量パス制御方法。
【請求項３】
前記下位レイヤパス通信装置は、隣接した下位レイヤパス通信装置に対して仮想大容量パスの設定要求または削除要求を１回行うことで、複数の下位レイヤパスの設定または削除を行う請求項１または２記載の仮想大容量パス制御方法。
【請求項４】
パス通信装置間の通信路を複数提供する手段と、前記通信路を複数まとめた仮想大容量パスを制御する手段とを備え、
請求項１に記載の仮想大容量パス制御方法における仮想大容量パスを設定または削除する際に、
前記下位レイヤパス通信装置に、前記仮想大容量パスに含まれる複数の通信路の情報を含めた仮想大容量パスの設定要求または削除要求を行う手段を備えた
パス通信装置。
【請求項５】
パス通信装置間の通信路を複数提供する手段と、前記通信路を複数まとめた仮想大容量パスを制御する手段とを備え、
請求項２に記載の仮想大容量パス制御方法における前記仮想大容量パスを変更する際に、
前記下位レイヤパス通信装置に、前記仮想大容量パスに含まれる複数の通信路の情報を含めた仮想大容量パスの変更要求を行う手段を備えた
パス通信装置。
【請求項６】
下位レイヤパスにより下位レイヤパス通信装置間の通信路を提供する手段を備え、
請求項１に記載の仮想大容量パス制御方法における前記仮想大容量パスを設定または削除する際に、
前記仮想大容量パスの設定要求または削除要求に含まれる前記複数の通信路の情報を基に、仮想大容量パスに対応する下位レイヤパスの設定または削除を行う手段を備えた
下位レイヤパス通信装置。
【請求項７】
下位レイヤパスにより下位レイヤパス通信装置間の通信路を提供する手段を備え、
請求項２に記載の仮想大容量パス制御方法における前記仮想大容量パスを変更する際に、
前記仮想大容量パスの変更要求に含まれる前記複数の通信路の情報を基に、仮想大容量パスに対応する下位レイヤパスの設定または削除を行う手段を備えた
下位レイヤパス通信装置。
【請求項８】
隣接した下位レイヤパス通信装置に対して仮想大容量パスの設定要求または削除要求を１回行うことで、複数の下位レイヤパスの設定または削除を行う手段を備えた請求項６または７記載の下位レイヤパス通信装置。
【発明の詳細な説明】
【技術分野】
【０００１】
本発明は、レイヤの異なるパスネットワーク間で協調してパスを設定、もしくは削除する技術に関する。
【背景技術】
【０００２】
近年、大容量のトラフィックを効率的にネットワークに収容するネットワークとしてパスネットワークが注目され、パスを設定、もしくは削除するためのパス制御シグナリングプロトコルの研究開発が進められている。例えば、ＩＥＴＦを中心にＭＰＬＳが研究開発され、ＩＥＴＦ  ＲＦＣ３０３１として標準化され、ルータおよびレイヤ２／３スイッチへの実装が始まった。また、ＩＥＴＦを中心にＧＭＰＬＳが研究開発され、ＩＥＴＦ  ＲＦＣ３４７１（非特許文献１参照）として標準化され、ルータ、レイヤ２／３スイッチ、ＯＸＣ（光クロスコネクト装置）およびＳＯＮＥＴ／ＳＤＨ装置への実装が始まった。
【０００３】
さらに、ＯＵＮＩ、およびＧＭＰＬＳ−ＵＮＩというパス制御シグナリング・プロトコルが登場し、また、ＧＭＰＬＳの研究開発が進み、レイヤの異なるパスネットワーク間でパスを設定すること、およびパスを削除することが可能となった。前記のパス制御シグナリング・プロトコルの登場により、例えば、ルータもしくはレイヤ２／３スイッチで構成されたパケット単位のパスネットワークから、ＯＸＣで構成された波長単位のパスネットワークを介し、他のパケット単位のパスネットワークに対してパスを設定、もくしは削除することが可能となった。
【０００４】
また、近年、ルータ、レイヤ２／３スイッチ、ＳＯＮＥＴ／ＳＤＨ装置、もしくはＯＸＣなどで構成されるノードは、他のノードとの間を複数の通信路で接続し、大容量トラフィックを転送している。
【０００５】
そこで、ルータおよびレイヤ２／３スイッチは、ＩＥＥＥ８０２．３ａｄ準拠のＬｉｎｋ  Ａｇｇｒｅｇａｔｉｏｎ、ＳＯＮＥＴ  Ｌｉｋｎ  Ａｇｇｒｅｇａｔｉｏｎ、もしくはＰＰＰＭＰなどを利用して複数の通信路を１本の通信路として集束し、その１本の通信路を仮想大容量パスとして管理し、通信路の管理と制御とを容易化している。また、ＳＯＮＥＴ／ＳＤＨ装置は、ＩＴＵ−Ｔ  Ｇ．７０７  Ｖｉｒｔｕａｌ  Ｃｏｎｃａｔｅｎａｔｉｏｎを利用して複数の通信路を１本の仮想大容量パスとして管理し、通信路の管理と制御とを容易化している。
【０００６】
【非特許文献１】ＩＥＴＦ  ＲＦＣ３４７１“Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ（ＧＭＰＬＳ）  Ｓｉｇｎａｌｉｎｇ  Ｆｕｎｃｔｉｏｎ  Ｄｅｓｃｒｉｐｔｉｏｎ”
【発明の開示】
【発明が解決しようとする課題】
【０００７】
ルータもしくはレイヤ２／３スイッチが、ＳＯＮＥＴ／ＳＤＨ装置もしくはＯＸＣで構成された下位レイヤパス網を介し、他のルータもしくはレイヤ２／３スイッチとの間で複数の通信路を設定して通信路上にパスを設定する場合には、ルータもしくはレイヤ２／３スイッチは複数の通信路を仮想大容量パスに集束し、仮想大容量パス毎にパスを設定することができる。しかし、下位レイヤパス網は、その複数の通信路が上位レイヤのルータもしくはレイヤ２／３スイッチによって集束されているか識別できない。結果として、下位レイヤパス網では通信路毎に下位レイヤパスを設定する。
【０００８】
一方、上記のような状況において、従来技術のＧＭＰＬＳ、ＯＵＮＩおよびＧＭＰＬＳ−ＵＮＩなどのパス制御シグナリング・プロトコルは、通信路毎、つまり下位レイヤパス毎にパスを設定することを前提としている。
【０００９】
従来のパス制御シグナリング・プロトコルを実装されたルータもしくはレイヤ２／３スイッチは、上記のような状況において、仮想大容量パス毎にパスを設定できず、所望の通信路を設定できない。
【００１０】
本発明は、このような背景に行われたものであって、フォトニックネットワークなどの下位ネットワーク側において仮想大容量パスとそれに含まれる複数の小容量パスの関連付けを行うことを可能とし、元来仮想大容量パスの制御に対応していない下位ネットワークに対しても仮想大容量パスの制御を行うことができる仮想大容量パス制御方法またはパス通信装置または下位レイヤパス通信装置を提供することを特徴とする。
【課題を解決するための手段】
【００１１】
図１は本発明の原理を示すパス設定時のフローを示したものであり、図２は本発明の原理を示すパス削除時のフローを示したものである。また、図３はパス通信装置と下位レイヤパス通信装置とを接続したネットワークの一例を示したものである。
【００１２】
本発明の特徴は、パス通信装置が仮想大容量パス毎に１本のパスを設定、もしくは削除する従来から提案されているシグナリング方法を利用する一方で、下位レイヤパス通信装置が仮想大容量パスに使用される通信路の情報を把握し、把握した情報に基づいて下位レイヤパス通信装置が通信路毎に下位レイヤパスをそれぞれ設定、もしくは削除することにより、結果的にパス通信装置に対して仮想大容量パスを提供しているところにある。本発明により、下位レイヤパス通信装置とパス通信装置とはパス制御シグナリングの連携に加え、通信路の集束制御の連携を実現できる。
【００１３】
すなわち、第１の発明は、パス通信装置と、このパス通信装置間に設置される下位レイヤパス通信装置とで構成され、前記パス通信装置は、パス通信装置間の通信路を複数提供する機能と、前記通信路を複数まとめた仮想大容量パスを制御する機能と有し、前記下位レイヤパス通信装置は、下位レイヤパスにより前記下位レイヤパス通信装置間の通信路を提供する機能を有するネットワークにおける仮想大容量パス制御方法である。
【００１４】
ここで、本発明の特徴とするところは、前記仮想大容量パスを設定または削除する際に、前記パス通信装置は、前記下位レイヤパス通信装置に、前記仮想大容量パスに含まれる複数の通信路の情報を含めた仮想大容量パスの設定要求または削除要求を行うステップと、前記下位レイヤパス通信装置は、前記仮想大容量パスの設定要求または削除要求に含まれる前記複数の通信路の情報を基に、仮想大容量パスに対応する下位レイヤパスの設定または削除を行うステップとを実行するところにある。
【００１５】
図１のように、パス通信装置１０または１１が、対向側のパス通信装置１１または１０との間で１本の仮想大容量パスと当該仮想大容量パス上に設定されるパスを設定する場合について説明する。まず、パス通信装置１０または１１のパス制御部は、対向側のパス通信装置１１または１０のパス制御部との間に存在し、かつ、隣接する下位レイヤパス通信装置２０または２１の下位レイヤパス制御部に対してパスの設定要求を送信する。パスの設定要求のメッセージの中には、パス通信装置１０または１１の転送部と下位レイヤパス通信装置２０または２１の下位レイヤ転送部との間に配備され、パスおよび仮想大容量パスを設定する際に使用される通信路群の情報が記載される。これにより、パス通信装置１０または１１のパス制御部は、隣接の下位レイヤパス通信装置２０、２１に対して、設定したい通信路群の情報を交換できる。
【００１６】
次に、パスの設定要求を受信した下位レイヤパス制御部は、受信したパスの設定要求に記載された通信路の情報を解釈し、各通信路を設定するために必要な下位レイヤパスの設定要求を通信路毎に作成する。通信路毎に特別に作成された下位レイヤパスの設定要求を隣接の下位レイヤパス制御部に送信する。下位レイヤパスの設定要求を受信した下位レイヤパス制御部は、さらに隣接の下位レイヤパス制御部に送信する。パスの設定要求の目的地のパス制御部と隣接する下位レイヤパス制御部に下位レイヤパスの設定要求が届くと、下位レイヤパス制御部は先に生成された通信路毎の下位レイヤパスの設定要求を待つ。
【００１７】
全ての下位レイヤパスの設定要求を受信した下位レイヤパス制御部は、下位レイヤ転送部と隣接のパス制御部との間の接続関係をもとに、１本の仮想大容量パスとパスを設定するためのパスの設定要求を作成し、隣接のパス制御部に送信する。このパスの設定要求のメッセージの中には、転送部と下位レイヤ転送部との間に配備され、パスおよび仮想大容量パスを設定する際に使用される通信路群の情報が記載される。
【００１８】
パス制御部は、パスの設定要求にしたがって転送部を制御し、通信路を設定する。パス制御部は、隣接の下位レイヤパス制御部に対して、パスの設定完了を送信する。パスの設定完了を受信した下位レイヤパス制御部は、受信したパスの設定完了にしたがって下位レイヤ転送部を制御し、通信路を設定する。また、下位レイヤパス制御部は、受信したパスの設定完了を通信路毎に作成し直し、下位レイヤパスの設定完了として隣接の下位レイヤパス制御部に送信する。
【００１９】
下位レイヤパスの設定完了を受信した下位レイヤパス制御部は、受信した下位レイヤパスの設定完了の内容にしたがって下位レイヤ転送部を制御し、通信路を設定する。さらに、隣接の下位レイヤ転送部に対して下位レイヤパスの設定完了を送信する。パスの設定完了の目的地のパス制御部と隣接する下位レイヤパス制御部とに下位レイヤパスの設定完了が届くと、下位レイヤパス制御部は先に生成された通信路毎の下位レイヤパスの設定完了を待つ。全ての下位レイヤパスの設定完了を受信した下位レイヤパス制御部は、下位レイヤパスの設定完了の内容に従って下位レイヤ転送部を制御し、通信路を設定する。
【００２０】
また、下位レイヤ転送部と隣接のパス制御部との間の接続関係をもとに、１本の仮想大容量パスと当該仮想大容量パス上に設定されるパスを設定するためのパスの設定完了を作成する。このパスの設定完了のメッセージの中には、転送部と下位レイヤ転送部との間に配備され、パスおよび仮想大容量パスを設定する際に使用される通信路群の情報が記載される。下位レイヤパス制御部はパスの設定完了を隣接のパス制御部に送信する。
【００２１】
パスの設定完了を受信したパス制御部は、受信内容にしたがって転送部を制御し、通信路を設定する。最後に、パス制御部から対向側のパス制御部に向けて設定確認を送信する。パスの設定確認、および下位レイヤパスの設定確認の送信経路は、前記のパスの設定完了、および下位レイヤパスの設定完了と同じである。以上により、１本の仮想大容量パスおよびパスを設定する。ただし、上記に記載されていないフローでも１本の仮想大容量パスおよびパスを設定できる。本発明の特徴は、設定用ＵＮＩシグナリングステップと設定用ＮＮＩシグナリングステップとを含むということである。
【００２２】
図２のように、パス通信装置１０または１１が、対向側のパス通信装置１１または１０との間に設定されている１本の仮想大容量パスと当該仮想大容量パス上に設定されたパスとを削除する場合について説明する。まず、パス制御部は、対向側のパス制御部との間に存在し、かつ、隣接する下位レイヤパス制御部に対してパスの削除要求を送信する。
【００２３】
パスの削除要求のメッセージの中には、転送部と下位レイヤ転送部との間に配備され、仮想大容量パスおよび当該仮想大容量パス上に設定されたパスを削除する際に使用される通信路群の情報が記載される。これにより、パス制御部は、隣接の下位レイヤパス通信装置２０、２１に対して、削除したい通信路群の情報を交換できる。パス制御部は、パスの削除要求にしたがって転送部を制御し、通信路を削除する。
【００２４】
次に、パスの削除要求を受信した下位レイヤパス制御部は、受信したパスの削除要求に記載された通信路の情報を解釈し、各通信路を削除するために必要な下位レイヤパスの削除要求を通信路毎に作成する。通信路毎に、特別に作成された下位レイヤパスの削除要求を隣接の下位レイヤパス制御部に送信する。下位レイヤパスの削除要求を受信した下位レイヤパス制御部は、さらに隣接の下位レイヤパス制御部に送信する。
【００２５】
パスの削除要求の目的地のパス制御部と隣接する下位レイヤパス制御部に下位レイヤパスの削除要求が届くと、下位レイヤパス制御部は先に生成された通信路毎の下位レイヤパスの削除要求を待つ。全ての下位レイヤパスの削除要求を受信した下位レイヤパス制御部は、下位レイヤ転送部と隣接のパス制御部との間の接続関係をもとに、１本の仮想大容量パスと当該仮想大容量パス上に設定されたパスとを削除するためのパスの削除要求を作成する。このパスの削除要求のメッセージの中には、転送部と下位レイヤ転送部との間に配備され、仮想大容量パスおよび当該仮想大容量パス上に設定されたパスを削除する際に使用される通信路群の情報が記載される。
【００２６】
パス制御部は、パスの削除要求にしたがって転送部を制御し、通信路を削除する。以上により、１本の仮想大容量パスおよび当該仮想大容量パス上に設定されたパスを削除する。ただし、上記に記載していないフローでも１本の仮想大容量パスおよび当該仮想大容量パス上に設定されたパスを削除できる。本発明の特徴は、削除用ＵＮＩシグナリングステップと削除用ＮＮＩシグナリングステップとを含むということである。
【００２７】
上記第１の発明および後述する第２の発明では、図３のように、パス制御部と下位レイヤパス制御部とは通信路で接続されている必要がある。また、転送部と下位レイヤ転送部とは、トラフィックを転送する際、通信路で接続される必要がある。パス制御部と下位レイヤパス制御部との接続用の通信路として、転送部と下位レイヤ転送部とを接続する通信路を利用できる。この場合には、パス通信装置はパス制御部と転送部とを分離しなくともよく、同様に、下位レイヤパス通信装置は下位レイヤパス制御部と下位レイヤ転送部とに分離しなくともよい。
【００２８】
第２の発明では、第１の発明をもとに、２つのパス通信装置の間で、既設の仮想大容量パスに集束された通信路の数をＮ本（Ｎ：任意の正数）増やすなどの変更を行う際に、前記パス通信装置は、前記下位レイヤパス通信装置に、前記仮想大容量パスに含まれる複数の通信路の情報を含めた仮想大容量パスの変更要求を行うステップと、前記レイヤパス通信装置は、前記仮想大容量パスの変更要求に含まれる前記複数の通信路の情報を基に、仮想大容量パスに対応する下位レイヤパスの設定または削除を行うステップとを実行することを特徴とする。
【００２９】
既設の仮想大容量パスにＭ本（Ｍ：任意の正数）の通信路を増設するためのフローを図４に示す。通信路をＭ本増設するためのフローは、図１に示されるような通信路をＭ本設定するためのフローに追加し、パスの設定確認の後に転送部において既設の仮想大容量パスに増設した通信路を組み入れる。以上により、既設の仮想大容量パスに通信路を増設できる。ただし、上記に記載していないフローでも通信路を増設し、仮想大容量パスに集束できる。本発明の特徴は、増設用ＵＮＩシグナリングステップと増設用ＮＮＩシグナリングステップと増設用集束変更ステップとを含むということである。
【００３０】
既設の仮想大容量パスにＭ本（Ｍ：任意の正数）の通信路を削減するためのフローを図５に示す。通信路をＭ本削減するためのフローは、図２に示されるような通信路をＭ本削減するためのフローに追加し、パスの削除要求の後に転送部において既設の仮想大容量パスから削除した通信路を開放する。以上により、既設の仮想大容量パスから通信路を削減できる。ただし、上記に記載していないフローでも通信路を削減し、仮想大容量パスから開放できる。本発明の特徴は、削減用ＵＮＩシグナリングステップと削減用ＮＮＩシグナリングステップと削減用集束変更ステップとを含むということである。
【００３１】
第３の発明では、第１および第２の発明にもとづいて、パスの両端において、パス制御部と隣接する下位レイヤパス制御部が、仮想大容量パス上に設定されている下位レイヤパス群をひとつのグループとして関連付けし、下位レイヤパス制御部、もしくは下位レイヤパス制御部と下位レイヤ転送部とがパス群の関連付けを管理する下位レイヤパス管理ステップを有することを特徴とする。
【００３２】
下位レイヤパス制御部は下位レイヤパスをグループ番号とメンバー番号とで識別する。グループ番号とは、仮想大容量パス毎に割当てられた識別番号である。メンバー番号とは、通信路毎に割り当てられた識別番号である。パス制御部は、対向側のパス制御部と通信を行い、互いのグループ番号、およびメンバー番号を認識する。下位レイヤパス制御部間の通信のメッセージの中には、グループ番号、およびメンバー番号が記載される。以上により、下位レイヤパス制御部は、ある特定の通信路、下位レイヤパスを識別し、通信路、下位レイヤパスの状態を管理および制御できる。ただし、グループ番号、もしくはメンバー番号に類した情報でもよく、通信路、下位レイヤパスを個別に識別できる情報であればよい。
【００３３】
また、下位レイヤパス制御部間の通信として、設定用ＮＮＩシグナリングステップ、削除用ＮＮＩシグナリングステップ、増設用ＮＮＩシグナリングステップ、および削減用ＮＮＩシグナリングステップを利用してもよく、シグナリングフローの拡張、もしくは、シグナリングメッセージの拡張を行う。パス管理ステップは、第１および第２の発明の他のステップとの間で、実施順序によらない。
【００３４】
第４の発明では、第１および第２の発明にもとづいて、前記下位レイヤパス通信装置は、隣接した下位レイヤパス通信装置に対して仮想大容量パスの設定要求または削除要求を１回行うことで、複数の下位レイヤパスの設定または削除を行うことを特徴とする。
【００３５】
図６は下位レイヤパス制御部と対向側の下位レイヤパス制御部との間で、Ｍ本の下位レイヤパスを設定するための設定用ＮＮＩシグナリングを１つにまとめた例である。これまでに記載した設定要求、設定完了、および設定確認は１本の通信路を設定するために必要な情報が記載されていた。Ｍ本の下位レイヤパスを設定する場合は、Ｍ回の設定用ＮＮＩシグナリングを行う必要があった。
【００３６】
本発明では、設定要求、設定完了、および設定確認にＭ本分の下位レイヤパス、通信路を設定するための情報を記載し、１回の設定用ＮＮＩシグナリングにまとめている。削除用ＮＮＩシグナリング、増設用ＮＮＩシグナリング、および削減用ＮＮＩシグナリングも設定用ＮＮＩシグナリングと同様である。以上により、下位レイヤパス制御部におけるシグナリングのメッセージ転送の負荷を減らすことができる。ただし、本発明により、Ｍ本の下位レイヤパスを全て同一の経路を通過することになる。
【００３７】
第５の発明では、第１および第２の発明にもとづいて、パス制御部と下位レイヤパス制御部とが互いに、パス経路およびパス制御シグナリングの転送経路を決定するためのルーティング情報、フォワーディング情報、およびパス管理情報を交換することを特徴とする。
【００３８】
本発明により、パス制御部および下位レイヤパス制御部との間で、ＯＳＰＦ、ＢＧＰなどのルーティング情報やフォワーディング情報を交換できる他、パス制御部と下位レイヤパス制御部とが連携して既設のパスを管理できる。パス制御部と下位レイヤパス制御部との間でルーティング情報やフォワーディング情報を交換でき、ネットワーク全体の接続情報を把握することにより、パスおよび下位レイヤパスを最適な経路を通信するように設定できる。
【００３９】
第６の発明では、第１および第２の発明にもとづいて、パス制御部と下位レイヤパス制御部とは、パス制御シグナリングの転送経路を決定するためのルーティング情報、およびフォワーディング情報を静的に保持し、対向するパス制御部と下位レイヤパス制御部との間で既設のパスを管理し、既設の下位レイヤパス上に配備されている下位レイヤパス制御部の間で下位レイヤパスを管理することを特徴とする。
【００４０】
本発明により、パス制御部および下位レイヤパス制御部との間で、ＯＳＰＦ、ＢＧＰなどのルーティング情報もフォワーディング情報を交換しない他、パス制御部と下位レイヤパス制御部とでパス管理を分離できる。パス制御部と下位レイヤパス制御部は、ネットワーク全体の接続情報を把握する必要がなくなり、ルーティング処理やフォワーディング処理の負荷が減る。
【００４１】
第７の発明では、第３の発明にもとづき、設定用ＵＮＩシグナリングステップにおける設定用ＵＮＩシグナリングによって複数の通信路を仮想大容量パスに集束する設定が行われ、削除用ＵＮＩシグナリングステップにおける削除用ＵＮＩシグナリングによって仮想大容量パスに集束されていた通信路を開放する設定が行われることを特徴とする。
【００４２】
本発明では、通信路、通信路毎に設定される下位レイヤパス、通信路を複数集束した仮想大容量パス、および仮想大容量パス上に設定されるパスを設定するとき、設定用ＵＮＩシグナリングのメッセージの中に設定される通信路を仮想大容量パスに集束するための設定情報を記載する。パス制御部は、設定用ＵＮＩシグナリングのメッセージ内の内容にしたがって、通信路を仮想大容量パスに集束できる。また、通信路、通信路毎に設定される下位レイヤパス、通信路を複数集束した仮想大容量パス、および仮想大容量パス上に設定されるパスを削除するとき、削除用ＵＮＩシグナリングのメッセージの中に削除される通信路を仮想大容量パスから開放するための設定情報を記載する。パス制御部は、削除用ＵＮＩシグナリングのメッセージ内の内容にしたがって、通信路を仮想大容量パスから開放できる。
【００４３】
第８の発明では、第３の発明にもとづき、増設用ＵＮＩシグナリングステップにおける増設用ＵＮＩシグナリングによって新たに設定された伝送路を仮想大容量パスに集束する設定が行われ、削除用ＵＮＩシグナリングステップにおける削除用ＵＮＩシグナリングによって仮想大容量パスに集束されていた通信路を開放する設定が行われることを特徴とする。
【００４４】
本発明では、下位レイヤパス、および通信路を増設するとき、増設用ＵＮＩシグナリングのメッセージの中に増設される通信路を仮想大容量パスに集束するための設定情報を記載する。パス制御部は、増設用ＵＮＩシグナリングのメッセージ内の内容にしたがって、通信路を既設の仮想大容量パスに集束できる。
【００４５】
また、下位レイヤパス、および通信路を削減するとき、削減用ＵＮＩシグナリングのメッセージの中に削減される通信路を仮想大容量パスから開放するための設定情報を記載する。パス制御部は、削減用ＵＮＩシグナリングのメッセージ内の内容にしたがって、削減される通信路を既設の仮想大容量パスから開放できる。
【００４６】
本発明を、本発明の仮想大容量パス制御方法を実行するパス通信装置としての観点からみることもできる。すなわち、本発明のパス通信装置は、本発明の仮想大容量パス制御方法における仮想大容量パスを設定または削除する際に、前記下位レイヤパス通信装置に、前記仮想大容量パスに含まれる複数の通信路の情報を含めた仮想大容量パスの設定要求または削除要求を行う手段を備えたことを特徴とする。
【００４７】
さらに、本発明のパス通信装置は、本発明の仮想大容量パス制御方法における前記仮想大容量パスを変更する際に、前記下位レイヤパス通信装置に、前記仮想大容量パスに含まれる複数の通信路の情報を含めた仮想大容量パスの変更要求を行う手段を備えたことを特徴とする。
【００４８】
また、本発明を、本発明の仮想大容量パス制御方法を実行する下位レイヤパス通信装置としての観点からみることもできる。すなわち、本発明の下位レイヤパス通信装置は、本発明の仮想大容量パス制御方法における前記仮想大容量パスを設定または削除する際に、前記仮想大容量パスの設定要求または削除要求に含まれる前記複数の通信路の情報を基に、仮想大容量パスに対応する下位レイヤパスの設定または削除を行う手段を備えたことを特徴とする。
【００４９】
さらに、本発明の下位レイヤパス通信装置は、本発明の仮想大容量パス制御方法における前記仮想大容量パスを変更する際に、前記仮想大容量パスの変更要求に含まれる前記複数の通信路の情報を基に、仮想大容量パスに対応する下位レイヤパスの設定または削除を行う手段を備えたことを特徴とする。
【００５０】
この際に、本発明の下位レイヤパス通信装置は、隣接した下位レイヤパス通信装置に対して仮想大容量パスの設定要求または削除要求を１回行うことで、複数の下位レイヤパスの設定または削除を行う手段を備えることができる。
【００５１】
これらの各手段は、図１〜図６において具体的な図示は省略するが、パス通信装置１０、１１または下位レイヤパス通信装置２０、２１に実装されているものとする。
【発明の効果】
【００５２】
本発明によれば、フォトニックネットワークなどの下位ネットワーク側において仮想大容量パスとそれに含まれる複数の小容量パスの関連付けを行うことが可能になり、元来仮想大容量パスの制御に対応していない下位ネットワークに対しても仮想大容量パスの制御を行うことができる。
【発明を実施するための最良の形態】
【００５３】
（第一実施例）
第一実施例を図３、図７〜図１１を参照して説明する。図３は第一実施例におけるネットワークモデルを示している。パス通信装置１０、１１がＳＯＮＥＴ／ＳＤＨ通信装置であり、下位レイヤパス通信装置２０、２１が光クロスコネクト（ＯＸＣ）である場合には、転送部における複数の通信路を仮想大容量パスに集束する機能はＩＴＵ−Ｔ  Ｇ．７０７  Ｖｉｒｔｕａｌ  Ｃｏｎｃａｔｅｎａｔｉｏｎである。
【００５４】
パス通信装置１０、１１がルータであり、下位レイヤパス通信装置２０、２１がＯＸＣである場合には、転送部における複数の通信路を仮想大容量パスに集束する機能はＩＥＥＥ８０２．３ａｄ  Ｌｉｎｋ  Ａｇｇｒｅｇａｔｉｏｎ、もしくはＩＥＴＦ１７１７ＰＰＰＭＰである。
【００５５】
Ｖｉｒｔｕａｌ  Ｃｏｎｃａｔｅｎａｔｉｏｎ、Ｌｉｎｋ  Ａｇｇｒｅｇａｔｉｏｎ、ＰＰＰＭＰの３つの方式はレイヤ、物理回線が異なる。しかし、どの方式を採用した場合でも、大容量パス制御シグナリング方式のフローに変わりはない。
【００５６】
第一実施例では、パス通信装置１０、１１がルータであり、下位レイヤパス通信装置２０、２１がＯＸＣである場合について示す。転送部における複数の通信路を仮想大容量パスに集束する機能はＩＥＥＥ８０２．３ａｄ  Ｌｉｎｋ  Ａｇｇｒｅｇａｔｉｏｎである。パス制御部と下位レイヤパス制御部とはシグナリングプロトコルとしてＩＥＴＦＲＦＣ３４７３ＧＭＰＬＳ−ＲＳＶＰをベースに拡張したプロトコルを使用する。ＧＭＰＬＳ−ＲＳＶＰのメッセージは既設のパスを保持するために、定期的にパス制御部同士の間で交換される。パスおよび通信路の状態に変更がある場合には、定期的に交換されるＧＭＰＬＳ−ＲＳＶＰメッセージの中に反映される。
【００５７】
その反映されたメッセージを受信したパス制御部および下位レイヤパス制御部は、受信内容に従って、転送部および下位レイヤ転送部を制御する。また、パス制御部と下位レイヤパス制御部とは、前記第５の発明で述べたとおり、ＯＳＰＦを使用して互いにの接続情報を交換し、ネットワークトポロジを把握している。ＯＳＰＦのメッセージは定期的に交換され、最新の情報に更新される。ただし、前記第５の発明が無くてもよく、その場合には、パス制御部と下位レイヤパス制御部とは、静的なルーティング情報を保持している必要がある。また、パス制御部と下位レイヤパス制御部とは、ＵＮＩシグナリングプロトコルとして、ＩＥＴＦ  ＧＭＰＬＳ  Ｏｖｅｒｌａｙ（ＧＭＰＬＳ−ＵＮＩ）もしくはＯＩＦ  ＯＵＮＩなどを使用する。
【００５８】
ＧＭＰＬＳ−ＲＳＶＰの拡張とは、ＧＭＰＬＳ−ＲＳＶＰのメッセージの変更またはメッセージの追加である。
【００５９】
一つ目の拡張は、これまでにセッションオブジェクト、ＨＯＰオブジェクト、レコードオブジェクト、イクスプリシットオブジェクトなどに一つの通信路を制御するために必要な経路情報が記載されていた。第一実施例では、これらのオブジェクトを拡張し、複数の通信路を制御するために必要な経路情報を書き込めるようにする。本機能は、前記第１および第２の発明のＵＮＩシグナリングに利用される。また、前記第４の発明のＮＮＩシグナリングにも利用される。ただし、前記第４の発明が無くてもよい。
【００６０】
その場合には、１つ目の拡張がなされたＵＮＩシグナリングを受信した下位レイヤパス通信装置２０、２１は、各メッセージオブジェクトに記載されている内容をもとに、通信路毎にメッセージオブジェクトを作成する。すなわち、前記第４の発明を適用しないＮＮＩシグナリングは、従来のＧＭＰＬＳ−ＲＳＶＰと同じになる。
【００６１】
２つ目の拡張は、新規にグループ管理オブジェクトを定義する。第一実施例では、グループ管理オブジェクトには、仮想大容量パスの識別番号と、仮想大容量パスを構成する通信路の識別番号とが記載される。通信路の識別番号は、上記のセッションオブジェクト、イクスプリシットオブジェクトにも記載される。２つ目の拡張は、前記第３の発明に対応する。２つ目の拡張がなされたＵＮＩシグナリングを受信したパス制御部は、転送部に対してどの伝送路とどの伝送路とを集束すればよいのか、その関連性がわかる。
【００６２】
また、ＮＮＩシグナリングで設定される複数の下位レイヤパスの内の一本が故障した場合には、パス制御部はどの下位レイヤパスが故障したのか識別できる。ただし、前記第３の発明が無くてもよい。その場合には、ＮＮＩシグナリングで設定される複数の下位レイヤパスの内の一本が故障した場合に、パス制御部はどの下位レイヤパスが故障したのか識別できない。
【００６３】
前記第７および第８の発明により、ＵＮＩシグナリングを受信したパス制御部は、前記第３の発明を利用して、通信路群を集束するのか、開放するのか、判断できる。ＧＭＰＬＳ−ＲＳＶＰでは、シグナリングメッセージが定期的にパス制御部の間で交換される。ある時刻のシグナリングメッセージに記載されていた通信路情報が次の時刻のシグナリングメッセージに記載されていないとき、その通信路を関連性のある他の通信路との集束関係から開放する。
【００６４】
逆に、ある時刻のシグナリングメッセージに記載されていない通信路情報が次の時刻のシグナリングメッセージに記載されているとき、その通信路を関連性のある他の通信路と集束する。ただし、前記第７の発明および第８の発明が無くてもよい。その場合には、パス制御部は、対向側のパス制御部と共に、どの通信路とどの通信路とを集束するのか、どの通信路とどの通信路との集束関係を開放するのか判断し、もしくは開放を行う必要がある。
【００６５】
図７は、第一実施例で示される通信路、通信路毎に設定される下位レイヤパス、通信路を複数集束した仮想大容量パス、および仮想大容量パス上に設定されるパスを設定するためのシグナリングフローである。図７に示すように、Ｍ本分の設定要求、Ｍ本分の設定完了通知、Ｍ本分の設定確認をそれぞれ一回のシグナリングによって行っている。
【００６６】
図８は、第一実施例で示される通信路、通信路毎に設定される下位レイヤパス、通信路を複数集束した仮想大容量パス、および仮想大容量パス上に設定されるパスを削除するためのシグナリングフローである。図８に示すように、Ｍ本分の削除要求を一回のシグナリングによって行っている。
【００６７】
図９は、第一実施例で示される下位レイヤパス、通信路を増設するためのシグナリングフローである。図９に示すように、Ｍ本分の設定要求、Ｍ本分の設定完了通知、Ｍ本分の設定確認をそれぞれ一回のシグナリングによって行っている。
【００６８】
図１０は、第一実施例で示される下位レイヤパス、通信路を削減するためのシグナリングフローである。図１０に示すように、Ｍ本分の削除要求を一回のシグナリングによって行っている。
【００６９】
（第二実施例）
第二実施例は、第一実施例とほとんど同じである。ただし、第二実施例は、パス制御部と下位レイヤパス制御部とは、前記第６の発明に記載のとおり、静的なルーティング情報を使用してパス制御部と下位レイヤパス制御部との間のシグナリングメッセージの転送を行う。
【産業上の利用可能性】
【００７０】
本発明によれば、フォトニックネットワークなどの下位ネットワーク側において仮想大容量パスとそれに含まれる複数の小容量パスの関連付けを行うことが可能になり、元来仮想大容量パスの制御に対応していない下位ネットワークに対しても仮想大容量パスの制御を行うことができるので、仮想大容量パスの設定の自由度の向上に寄与することができる。
【図面の簡単な説明】
【００７１】
【図１】本発明の原理を示したパスを設定するためのシグナリングフロー図。
【図２】本発明の原理を示したパスを削除するためのシグナリングフロー図。
【図３】本発明が適用されるネットワーク構成の一例を示す図。
【図４】本発明で実施される伝送路、下位レイヤパスの増設および増設のシグナリングフローの一例を示す図。
【図５】本発明で実施される伝送路、下位レイヤパスの削減と削減のシグナリングフローの一例を示す図。
【図６】第１および第６の発明を適用した場合の伝送路、下位レイヤパスの設定および設定のシグナリングフローの一例を示す図。
【図７】第一実施例のパス、伝送路、下位レイヤパス、仮想大容量パスの設定のフローを示す図。
【図８】第一実施例のパス、伝送路、下位レイヤパス、仮想大容量パスの削除のフローを示す図。
【図９】第一実施例の伝送路、下位レイヤパスの増設のフローを示す図。
【図１０】第一実施例の伝送路、下位レイヤパスの削減のフローを示す図。
【符号の説明】
【００７２】
１０、１１  パス通信装置
２０、２１  下位レイヤパス通信装置
【図１】
0004425211.tif 000002
【図２】
0004425211.tif 000003
【図３】
0004425211.tif 000004
【図４】
0004425211.tif 000005
【図５】
0004425211.tif 000006
【図６】
0004425211.tif 000007
【図７】
0004425211.tif 000008
【図８】
0004425211.tif 000009
【図９】
0004425211.tif 000010
【図１０】
0004425211.tif 000011